(57)【要約】【課題】収納部内の清掃作業をフラップ扉の開放角度の制限を気にせずに行うことができるフラップ扉付きキャビネットを提供すること。【解決手段】フラップ扉５には、フラップ扉５を収納部７に対して開閉可能に枢支するヒンジ１２と、フラップ扉５の開放角度を規制するステーアーム１３と、が設けられ、収納部７には、ヒンジ１２が取り付けられるヒンジプレート４３と、ステーアーム１３が取り付けられるステープレート１６と、が設けられており、ヒンジ１２とステーアーム１３とは、それぞれヒンジプレート１３とステープレート１３とに着脱自在に嵌合結合する。【選択図】図２
2010168807.tif 000002
【特許請求の範囲】
【請求項１】
外方に向けて開口し、内部に物品が収納される収納部と、該収納部を開閉自在に閉塞するフラップ扉と、を備えるフラップ扉付きキャビネットであって、
前記フラップ扉には、該フラップ扉を前記収納部に対して開閉可能に枢支するヒンジと、前記フラップ扉の開放角度を規制するステーアームと、が設けられ、
前記収納部には、前記ヒンジが取り付けられるヒンジプレートと、前記ステーアームが取り付けられるステープレートと、が設けられており、
前記ヒンジと前記ステーアームとは、それぞれ前記ヒンジプレートと前記ステープレートとに着脱自在に嵌合結合することを特徴とするフラップ扉付きキャビネット。
【請求項２】
前記ステープレートには、前記収納部の幅方向に向かって軸杆が突設され、
該軸杆には、可撓性を有する回転体が回動自在に枢支されており、
該回転体には、径方向に拡縮するためのスリットが形成されているとともに、
前記ステーアームには、前記回転体に嵌合する嵌合孔が形成されていることを特徴とする請求項１に記載のフラップ扉付きキャビネット。
【請求項３】
前記回転体の外周縁には、前記ステープレート側に向かって前記回転体の縮径方向に傾斜をなす傾斜面と、該傾斜面よりも更に前記ステープレート側で、前記回転体に嵌合した前記ステーアームの反ステープレート側への移動を拘束する段部と、を備えた鉤状起立が設けられていることを特徴とする請求項２に記載のフラップ扉付きキャビネット。
【発明の詳細な説明】
【技術分野】
【０００１】
本発明は、外方に向けて開口し、内部に物品が収納される収納部と、該収納部を開閉自在に閉塞するフラップ扉と、を備えるフラップ付きキャビネットに関する。
【背景技術】
【０００２】
従来の流し台（フラップ扉付きキャビネット）としては、上部にシンクが設けられており、このシンクの前方に設けられた幕板の前方に包丁等を収納する収納ボックスを設ける空間（収納部）を形成し、この収納ボックスが設けられた空間を上扉（フラップ扉）によって開閉可能としている。このような流し台においては、収納ボックスは、下端部を幕板側から前後方向に回動自在に保持されており、上扉は、下端部を幕板側から延設された突条の端部に前後方向に回動可能に保持され、上扉の側板と幕板との間にはリンク（ステーアーム）が介設されて上扉を開閉可能とするとともに、上扉の開放角度を規制しているものがある（例えば、特許文献１参照）。
【先行技術文献】
【特許文献】
【０００３】
【特許文献１】実用新案登録第３０７０７４７号公報（第７頁、第６図）
【発明の概要】
【発明が解決しようとする課題】
【０００４】
しかしながら、特許文献１に記載の流し台（フラップ扉付きキャビネット）にあっては、収納ボックスを設ける空間（収納部）は、埃の堆積や収納ボックス内からの水垂れ等によって黴が発生し易く、これら埃や黴等を清掃するためには、上扉（フラップ扉）の開放角度の制限や収納ボックスに阻まれて使用者が空間内を容易に清掃することができず、空間内が不衛生になり易いという問題があった。
【０００５】
本発明は、このような問題点に着目してなされたもので、収納部内の清掃作業をフラップ扉の開放角度の制限を気にせずに行うことができるフラップ扉付きキャビネットを提供することを目的とする。
【課題を解決するための手段】
【０００６】
前記課題を解決するために、本発明の請求項１に記載のフラップ扉付きキャビネットは、
外方に向けて開口し、内部に物品が収納される収納部と、該収納部を開閉自在に閉塞するフラップ扉と、を備えるフラップ扉付きキャビネットであって、
前記フラップ扉には、該フラップ扉を前記収納部に対して開閉可能に枢支するヒンジと、前記フラップ扉の開放角度を規制するステーアームと、が設けられ、
前記収納部には、前記ヒンジが取り付けられるヒンジプレートと、前記ステーアームが取り付けられるステープレートと、が設けられており、
前記ヒンジと前記ステーアームとは、それぞれ前記ヒンジプレートと前記ステープレートとに着脱自在に嵌合結合することを特徴としている。
この特徴によれば、ヒンジとヒンジプレート及びステーアームとステープレートとのそれぞれの嵌合結合を工具等を使用することなく解除させるだけで、容易にフラップ扉を収納部側から取り外すことができるので、使用者は、フラップ扉の開放角度が制限された状態で収納部内の清掃作業を行わずに済む。
【０００７】
本発明の請求項２に記載のフラップ扉付きキャビネットは、請求項１に記載のフラップ扉付きキャビネットであって、
前記ステープレートには、前記収納部の幅方向に向かって軸杆が突設され、
該軸杆には、可撓性を有する回転体が回動自在に枢支されており、
該回転体には、径方向に拡縮するためのスリットが形成されているとともに、
前記ステーアームには、前記回転体に嵌合する嵌合孔が形成されていることを特徴としている。
この特徴によれば、回転体にはスリットが形成され、且つ可撓性を有しているので、回転体は軸杆に対して装着し易いばかりでなく、ステーアームの装着時には、回転体を撓ませながらステーアームを嵌合させることができるので、ステーアームの回転体への脱着を迅速かつ容易に行うことができる。
【０００８】
本発明の請求項３に記載のフラップ扉付きキャビネットは、請求項２に記載のフラップ扉付きキャビネットであって、
前記回転体の外周縁には、前記ステープレート側に向かって前記回転体の縮径方向に傾斜をなす傾斜面と、該傾斜面よりも更に前記ステープレート側で、前記回転体に嵌合した前記ステーアームの反ステープレート側への移動を拘束する段部と、を備えた鉤状起立片が設けられていることを特徴としている。
この特徴によれば、ステーアームを収納部側に取り付ける際に、傾斜面によってステーアームの他端をガイドすることで嵌合孔が回転体に嵌合され易くすることができるとともに、嵌合孔が回転体に嵌合された後は、段部によりステーアームが回転体から外れてしまうことを防止することができる。
【図面の簡単な説明】
【０００９】
【図１】実施例におけるフラップ扉付きキャビネットを示す斜視図である。
【図２】フラップ扉を開放したときのステーアーム及びヒンジを示すキャビネットの一部拡大側断面図である。
【図３】図２におけるＡ−Ａ端面図である。
【図４】ステースリーブを示す斜視図である。
【図５】（ａ）は、フラップ扉に取り付けられたヒンジを示す一部拡大側断面図であり、（ｂ）は、ヒンジプレートに取り付けられたヒンジを示す一部拡大側断面図ある。
【図６】（ａ）は、ステースリーブとステーアームとを示す一部拡大平断面図であり、（ｂ）は、図６（ａ）におけるＢ−Ｂ端面図である。
【図７】ステースリーブにステーアームが装着された状態を示す一部拡大平断面図である。
【図８】フラップ扉が取り外されたキャビネットを示す斜視図である。
【発明を実施するための形態】
【００１０】
本発明に係るフラップ扉付きキャビネットを実施するための形態を実施例に基づいて以下に説明する。以下、図２及び図５の紙面左方向をキャビネットの正面側とし、図３、図６及び図７の紙面左右方向をキャビネットの幅方向として説明する。
【実施例】
【００１１】
実施例に係るフラップ扉付きキャビネットにつき、図１から図８を参照して説明する。先ず図１の符号１は、本発明の適用されたキャビネットである。このキャビネット１は、例えば、家庭内のキッチン等に配置され、調理や食器洗い等に使用される。このキャビネット１の上部には、使用者が食器等を洗うのに使用するシンク部２が設けられており、シンク部２の隣にはキャビネット１上での調理等を行う作業スペース３が設けられている。
【００１２】
また、シンク部２の下方に位置するキャビネット１の前面上部には、箸や食器等の物品を収納する際に開閉操作を行うフラップ扉５が設けられている。フラップ扉５の左方には、キャビネット１内部に形成された空間に前後移動自在に配設された、食器や食材等を収納する引出し５’が設けられ、更にフラップ扉５の下方には、同様に引出し６が設けられており、引出し６はキャビネット１の左右方向に連設されている。
【００１３】
これらフラップ扉５と引出し６のうち、フラップ扉５の後方には、図２に示すように、物品を収納する本発明における収納部としての収納スペース７が形成されている。具体的には、キャビネット１の天板３１の下方に形成された上板３２と、引出し６の上方に形成された下板３３と、の間に取り付けられた側断面視略コ字形状に形成されたケース体８が取り付けられている。このケース体８の左右は、キャビネット１の左右に配置された側板１４によって挟まれており、これらケース体８と両側板１４とに囲まれた空間が、収納スペース７としてキャビネットの正面側に開口するように形成されている。
【００１４】
また、図２及び図５（ａ）に示すように、フラップ扉５の背面側の左右下端部にはヒンジ１２が取り付けられており、ケース体８の下部の上面前端部には、ヒンジ１２を収納スペース７に固定するためのヒンジプレート４３が取り付けられている。これらヒンジ１２は、前端部に設けられた左右方向を向く枢軸１２ａによってフラップ扉５を前後方向に揺動可能に枢支している。
【００１５】
更に、ヒンジ１２下部には、前後にヒンジプレート４３に嵌合するための爪部１２ｂ，１２ｃが設けられており、ヒンジプレート４３には、これらヒンジ１２の爪部１２ｂ，１２ｃが嵌合するための嵌合凹部４３ｂ，４３ｃが形成されている。
【００１６】
このヒンジ１２をヒンジプレート４３に取り付けるには、図５（ａ）及び図５（ｂ）に示すように、先ず、ヒンジ１２の正面側を下方に向けて傾斜させた状態で、ヒンジ１２の正面側に設けられた爪部１２ｂをヒンジプレート４３の嵌合凹部４３ｂに背面側から挿通させる。爪部１２ｂの嵌合凹部４３ｂへの挿通が完了したら、爪部１２ｂを中心としてヒンジ１２の背面側を下板３３側に向けて回動押圧させることで、爪部１２ｃを嵌合凹部４３ｃに嵌合係止させる。そして、爪部１２ｃの嵌合凹部４３ｃへの嵌合係止が完了すると同時に、両爪部１２ｂ，１２ｃの嵌合凹部４３ｂ，４３ｃ内での移動範囲が規制され、爪部１２ｂ，１２ｃの嵌合凹部４３ｂ，４３ｃ内での嵌合結合がなされる。
【００１７】
このとき、フラップ扉５を前後方向に揺動可能に枢支しているヒンジ１２がヒンジプレート４３に嵌合結合されることで、図２に示すように、フラップ扉５は収納スペース７を前後方向に開閉自在に閉塞可能となる。尚、本実施例においては、フラップ扉５の背面側には、物品を収納する収納ポケット１５が設けられている。この収納ポケット１５は、フラップ扉５が閉塞することによって収納スペース７に配置されるようになっている。
【００１８】
図２に示すように、ヒンジ１２よりも上方位置であるフラップ扉５の背面側の左右端部には、フラップ扉５を開放する際に所要の開放角度を保持するためのステーアーム１３が取り付けられている。これらステーアーム１３は、フラップ扉５の背面に前後方向に回動可能に一端を枢支された第１アーム１３ａと、第１アーム１３ａの他端から左右方向を向く枢軸１３ｂによって一端を前後方向に回動可能に枢支された第２アーム１３ｃと、から構成されており、第２アーム１３ｃの他端には、左右方向を向く側面視円形の嵌合孔１３ｄが形成されている。加えて、第１アーム１３ａの一端はフラップ扉５の背面側で左右方向に揺動可能な揺動幅を有している。
【００１９】
また、側板１４の内側面前端部には、嵌合孔１３ｄに嵌合することで第２アーム１３ｃが取り付けられるステープレート１６が設けられている。このため、ステーアーム１３はフラップ扉５と側板１４とに亘って取り付けられる。
【００２０】
ステープレート１６の内側面前部からは、図３に示すように、収納スペース７の幅方向に向かって軸杆１６ａが突設されている。この軸杆１６ａには、本発明における回転体としてのステースリーブ１７が取り付けられている。このステースリーブ１７は、図３及び図４に示すように、円柱状の基部１７ａと、基部１７ａよりも縮径された円柱状に形成され、基部１７ａの側面から突出する被嵌合突部１７ｂと、から主に構成されている。この被嵌合突部１７ｂの先端部周縁には面取り加工が施されている。
【００２１】
これら基部１７ａと被嵌合突部１７ｂの中心には、左右幅方向にステースリーブ１７を貫通する貫通孔１７ｃが形成されている。そして、ステースリーブ１７は、この貫通孔１７ｃに基部１７ａ側から軸杆１６ａを挿通させることで、軸杆１６ａに対して回動自在に枢支されるようになっている。
【００２２】
更に、ステースリーブ１７は、ポリアセタール樹脂（ＰＯＭ）等の可撓性を有する樹脂材によって構成されている。加えて、被嵌合突部１７ｂには径方向に拡縮するためのスリット１７ｄが、貫通孔１７ｃと連通して被嵌合突部１７ｂの幅方向略全長に亘って形成されている。このため、ステースリーブ１７は貫通孔１７ｃに軸杆１６ａを挿通させる際には、貫通孔１７ｃの径を押し拡げた状態で軸杆１６ａを挿通させるとともに、挿通後は縮径して軸杆１６ａに摩擦力により保持されるようになっている。
【００２３】
このように構成された被嵌合突部１７ｂに第２アーム１３ｃの嵌合孔１３ｄが嵌合することで、第２アーム１３ｃは被嵌合突部１７ｂに対して前後方向に回動可能に枢支され、ステーアーム１３の側板１４内側面への取り付けがなされる。
【００２４】
具体的には、先ず、前述したように、ヒンジ１２をヒンジプレート４３に嵌合結合させて、フラップ扉５を前後方向に揺動可能とする。この状態から、図６（ａ）及び図６（ｂ）に示すように、第２アーム１３ｃを他端が収納スペース７の内側方に向けて揺動した状態として収納スペース７内に進入させ、被嵌合突部１７ｂの側方に配置させる。次いで、図３及び図７に示すように、第２アーム１３ｃを被嵌合突部１７ｂの基部１７ａ側に向けて押し込んで行き、嵌合孔１３ｄを被嵌合突部１７ｂに対して嵌合させる。このとき、被嵌合突部１７ｂに面取り加工が施されていることにより、嵌合孔１３ｄが被嵌合突部１７ｂに嵌合し易くなっている。
【００２５】
尚、図３及び図４に示すように、基部１７ａの外周縁には、被嵌合突部１７ｂに嵌合孔１３ｄを嵌合した第２アーム１３ｃをステースリーブ１７から外れてしまうことを防止するための一対の鉤状起立片１７ｅが設けられている。
【００２６】
これら鉤状起立片１７ｅは、基部１７ａの外周縁から収納スペース７側に延設されており、先端部には、ステープレート１６側に向かってステースリーブ１７の縮径方向に傾斜をなす傾斜面１７ｆが形成されている。また、鉤状起立片１７ｅの傾斜面１７ｆよりもステープレート１６側には、鉤状起立片１７ｅの内側面に段部１７ｇが形成されている。
【００２７】
このため、前述したように、ステーアーム１３を側板１４内側面に取り付けるとき、第２アーム１３ｃを傾斜面１７ｆに沿ってステープレート１６側に向けて摺動させることで、鉤状起立片１７ｅを押し開きながら嵌合孔１３ｄを被嵌合突部１７ｂに嵌合させている。そして、嵌合孔１３ｄを被嵌合突部１７ｂに嵌合させた後は、第２アーム１３ｃの先端部をステープレート１６側に押し込むことにより段部１７ｇと係合して、第２アーム１３ｃは反ステープレート１６側への移動を拘束する。
【００２８】
尚、フラップ扉５をキャビネット１から取り外す場合には、先ず、ステースリーブ１７の鉤状起立片１７ｅの先端を押し開き、被嵌合突部１７ｂを撓ませながら第２アーム１３ｃをフラップ扉５の左右方向の内側方に向けて揺動させ、ステーアーム１３を側板１４内側面から取り外す。
【００２９】
次に、フラップ扉５の下端部を正面側から収納スペース７内に向けて押し込むことによって、ヒンジ１２とヒンジプレート４３との嵌合結合における後部の爪部１２ｃと嵌合凹部４３ｃとの嵌合を解除する。そして、ヒンジ１２の後部側を持ち上げることによって爪部１２ｂと嵌合凹部４３ｂとの嵌合を解除し、ヒンジプレート４３からヒンジ１２を取り外す。
【００３０】
以上の手順を経ることにより、図８に示すように、フラップ扉５をキャビネット１から取り外すことができるので、遮蔽物無く正面側に向かって開口した収納スペース７内の清掃作業を行うことができる。
【００３１】
以上、本実施例におけるフラップ扉付きキャビネットにあっては、フラップ扉５には、フラップ扉５を収納スペース７に対して開閉可能に枢支するヒンジ１２と、フラップ扉５の開放角度を規制するステーアーム１３と、が設けられ、収納スペース７には、ヒンジ１２が取り付けられるヒンジプレート４３と、ステーアーム１３が取り付けられるステープレート１６と、が設けられており、ヒンジ１２とステーアーム１３とは、それぞれヒンジプレート４３とステープレート１６とに着脱自在に嵌合結合するので、ヒンジ１２とヒンジプレート４３及びステーアーム１３とステープレート１６とのそれぞれの嵌合結合を工具等を使用することなく解除させるだけで、容易にフラップ扉５を収納スペース７側から取り外すことができるので、使用者は、フラップ扉５の開放角度が制限された状態で収納スペース７内の清掃作業を行わずに済む。
【００３２】
また、ステープレート１６には、収納スペース７の幅方向に向かって軸杆１６ａが突設され、軸杆１６ａには、可撓性を有するステースリーブ１７が回動自在に枢支されており、ステースリーブ１７には、径方向に拡縮するためのスリット１７ｄが形成されているとともに、ステーアーム１３には、ステースリーブ１７に嵌合する嵌合孔１３ｄが形成されているので、ステースリーブ１７は軸杆１６ａに対して装着し易いばかりでなく、ステーアーム１３の装着時には、ステースリーブ１７を撓ませながらステーアーム１３を嵌合させることができるので、ステーアーム１３のステースリーブ１７への脱着を迅速かつ容易に行うことができる。
【００３３】
また、ステースリーブ１７の外周縁には、ステープレート１６側に向かってステースリーブ１７の縮径方向に傾斜をなす傾斜面１７ｆと、傾斜面１７ｆよりも更にステープレート１６側で、ステースリーブ１７に嵌合したステーアーム１３の反ステープレート１６側への移動を拘束する段部１７ｇと、を備えた鉤状起立片１７ｅが設けられているので、ステーアーム１３を収納スペース７側に取り付ける際に、傾斜面１７ｆによってステーアーム１３の他端をガイドすることで嵌合孔１３ｄがステースリーブ１７に嵌合され易くすることができるとともに、嵌合孔１３ｄがステースリーブ１７に嵌合された後は、段部１７ｇによりステーアーム１３がステースリーブ１７から外れてしまうことを防止することができる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、前記実施例では、フラップ扉５を取り付けたキャビネット１を、家庭内のキッチンに設けられて調理や食器洗い等に使用されるものとして説明したが、キャビネット１はこれに限定されるものではなく、洗面所や脱衣場等に設けられた洗面台等であってもよい。
【００３６】
また、前記実施例では、フラップ扉５の背面側の左右下端部にヒンジ１２を取り付け、このヒンジ１２の前端部に設けられた左右方向を向く枢軸１２ａによってフラップ扉５を前後方向に揺動可能に枢支したが、フラップ扉５の背面側の上下側端部にヒンジ１２を取り付けることで、フラップ扉５を前後方向に揺動可能に枢支してもよい。
【符号の説明】
【００３７】
１                キャビネット
５                フラップ扉
７                収納スペース（収納部）
１２              ヒンジ
１２ａ            枢軸
１３              ステーアーム
１３ａ            第１アーム
１３ｂ            枢軸
１３ｃ            第２アーム
１３ｄ            嵌合孔
１６              ステープレート
１６ａ            軸杆
１７              ステースリーブ（回転体）
１７ｄ            スリット
１７ｅ            鉤状起立片
１７ｆ            傾斜面
４３              ヒンジプレート
【図１】
2010168807.tif 000003
【図２】
2010168807.tif 000004
【図３】
2010168807.tif 000005
【図４】
2010168807.tif 000006
【図５】
2010168807.tif 000007
【図６】
2010168807.tif 000008
【図７】
2010168807.tif 000009
【図８】
2010168807.tif 000010